(57)【特許請求の範囲】
【請求項１】
一対の鍔部と該一対の鍔部を互いに連結する巻芯部とを備えるドラムコアと、
該ドラムコアの該巻芯部に巻回された導線と、
該ドラムコアと別体で構成され、該ドラムコアの該鍔部の周面に所定のギャップを介して対向配置された内面を有する外周コアと、
該外周コアに少なくとも２つ設けられ該導線の一端又は他端が電気的に接続されて継線された略板状の端子金具とを備え、
少なくとも一方の該端子金具は、互いに離間した位置に配置された少なくとも２つの爪部を有し、
該少なくとも２つの爪部の先端寄りの部分は、該外周コアの内面に略沿うように該爪部の基端寄りの部分に対して折り曲げられて該外周コアの内面に係止され、該爪部の該先端寄りの部分は該ドラムタイプコアの該鍔部の周面に当接可能であり、
該爪部は、該少なくとも２つの該爪部の該先端寄りの部分が該爪部の先端へ向かって該ドラムコアの略周方向において互いに離間して広がるように折り曲げられていることを特徴とするコイル部品。
【請求項２】
該爪部の該基端寄りの部分に対して該爪部の先端寄りの部分が折り曲げられて規定される該基端寄りの部分と該先端寄りの部分との境界線の部分は、該爪部の幅方向の一方の端縁と他方の端縁とを結ぶ折り曲げ部をなし、該爪部の幅方向の一方の端縁における該折り曲げ部の部分は該外周コアの内周面に接触し、該爪部の幅方向の他方の端縁における該折り曲げ部の部分は該外周コアの内周面から離間していることを特徴とする請求項１記載のコイル部品。
【請求項３】
該鍔部はそれぞれ略円盤形状をなしていることを特徴とする請求項１記載のコイル部品。
【請求項４】
該導線は該爪部以外の該端子金具の部分に継線されていることを特徴とする請求項１記載のコイル部品。
【請求項５】
該外周コアは該ドラムコアを環装するように設けられたリングコアからなり、該リングコアは該ドラムコアの該巻芯部の軸心方向へ所定の厚さを有する多角形をなし、該多角形の少なくとも一の角部は面取りが施された面取り部を有し、該端子金具の一部は該面取り部上に配置され、
該導線は該面取り部上に配置された該端子金具の部分に継線されていることを特徴とする請求項４記載のコイル部品。
【請求項６】
折り曲げられる前の該爪部は展開形状が方形をなすことを特徴とする請求項１記載のコイル部品。
【請求項７】
該爪部の該先端寄りの部分は該爪部の該基端寄りの部分に対して鋭角に折り曲げられていることを特徴とする請求項１記載のコイル部品。
【発明の詳細な説明】
【技術分野】
【０００１】
本発明はコイル部品に関し、特に導線が巻回されたドラムコアとドラムコアの周面に対向配置された外周コアとを備えるコイル部品に関する。
【背景技術】
【０００２】
従来より、導線が巻回されたドラムコアとドラムコアの周面に対向配置された外周コアとを備えるコイル部品が知られている。ドラムコアは、一対の略円盤形状をした鍔部と、一対の鍔部を互いに連結する巻芯部とを備えており、巻芯部には導線が巻回されている。外周コアとしては例えば中央部に貫通孔が形成されたリング状のリングコアが用いられ、リングコアの当該貫通孔にドラムコアが挿入され、ドラムコアの周面にリングコアの内周面が対向するように配置される。リングコアには、略板状をした端子金具がドラムコアの鍔部を挟むようにして対をなして設けられており、導線の一端、他端がそれぞれ電気的に接続されて継線されている。端子金具の一部は、ドラムコアの鍔部の周面とリングコアの内周面との間に配置され、当該端子金具の一部によってリングコアとドラムコアとの間に所定の幅のギャップ（隙間）が形成されている。このようなコイル部品は、例えば、特開２００７−２３４８８５号公報（特許文献１）に記載されている。
【特許文献１】特開２００７−２３４８８５号公報
【発明の開示】
【発明が解決しようとする課題】
【０００３】
従来のコイル部品では、一の端子金具の一部がリングコアとドラムコアとの間に配置されている構成を採るため、対をなして配置された端子金具を互いに結ぶ方向においては、リングコアとドラムコアとの間に配置されている端子金具にドラムコアが当接して同方向におけるドラムコアの移動を規制することができるが、同方向に垂直をなす方向であって巻芯部の軸心に垂直をなす方向におけるドラムコアの移動を規制することは、端子金具が２つのみ設けられている場合には困難である。また、同方向におけるドラムコアとリングコアとの間のギャップを所望の値に確実に確保することは困難であった。そして、このようにドラムコアとリングコアとの間のギャップを所望の値に確実に確保することが困難であると、直流重畳特性を所望の値とすることが困難であるという問題が生ずる。
【０００４】
そこで、本発明は、２つの端子金具を結ぶ方向に垂直の方向においてもドラムコアの移動を規制し、且つ同方向におけるドラムコアと外周コアとの間のギャップを所望の値に確実に確保できるコイル部品を提供することを目的とする。
【課題を解決するための手段】
【０００５】
上記目的を達成するために、本発明は、一対の鍔部と該一対の鍔部を互いに連結する巻芯部とを備えるドラムコアと、該ドラムコアの該巻芯部に巻回された導線と、該ドラムコアと別体で構成され、該ドラムコアの該鍔部の周面に所定のギャップを介して対向配置された内面を有する外周コアと、該外周コアに少なくとも２つ設けられ該導線の一端又は他端が電気的に接続されて継線された略板状の端子金具とを備え、少なくとも一方の該端子金具は、互いに離間した位置に配置された少なくとも２つの爪部を有し、該少なくとも２つの爪部の先端寄りの部分は、該外周コアの内面に略沿うように該爪部の基端寄りの部分に対して折り曲げられて該外周コアの内面に係止され、該爪部の該先端寄りの部分は該ドラムタイプコアの該鍔部の周面に当接可能であり、該爪部は、該少なくとも２つの該爪部の該先端寄りの部分が該爪部の先端へ向かって該ドラムコアの略周方向において互いに離間して広がるように折り曲げられているコイル部品を提供している。
【０００６】
外周コアに少なくとも２つ設けられ導線の一端又は他端が電気的に接続されて継線された略板状の端子金具を備え、少なくとも一方の端子金具は、互いに離間した位置に配置された少なくとも２つの爪部を有し、少なくとも２つの爪部の先端寄りの部分は、外周コアの内面に略沿うように爪部の基端寄りの部分に対して折り曲げられて外周コアの内面に係止され、爪部の先端寄りの部分はドラムコアの鍔部の周面に当接可能であるため、２つの端子金具を結ぶ方向と、２つの端子金具を結ぶ方向に直交する方向との両方向においてドラムコアの移動を規制することができる。また、これら両方向におけるドラムコアと外周コアとの間のギャップを所望の値に確実に確保することができる。また、少なくとも２つの爪部の先端寄りの部分が爪部の先端へ向かってドラムコアの略周方向において互いに離間して広がるように爪部は折り曲げられているため、ドラムコアの略周方向において互いに離間した位置で爪部をドラムコアの鍔部の周面に当接させることができ、より確実にギャップを確保できる。
【０００７】
ここで該爪部の該基端寄りの部分に対して該爪部の先端寄りの部分が折り曲げられて規定される該基端寄りの部分と該先端寄りの部分との境界線の部分は、該爪部の幅方向の一方の端縁と他方の端縁とを結ぶ折り曲げ部をなし、該爪部の幅方向の一方の端縁における該折り曲げ部の部分は該外周コアの内周面に接触し、該爪部の幅方向の他方の端縁における該折り曲げ部の部分は該外周コアの内周面から離間していることが好ましい。
【０００８】
爪部の基端寄りの部分に対して爪部の先端寄りの部分が折り曲げられて規定される基端寄りの部分と先端寄りの部分との境界線の部分は、爪部の幅方向の一方の端縁と他方の端縁とを結ぶ折り曲げ部をなし、爪部の幅方向の一方の端縁における折り曲げ部の部分は外周コアの内周面に接触し、爪部の幅方向の他方の端縁における折り曲げ部の部分は外周コアの内周面から離間しているため、爪部の幅方向に対する境界線の方向たる折り曲げ方向を調整することで、爪部の幅方向の当該他方の端縁における折り曲げ部の部分が外周コアの内周面から離間している離間距離を調整することができ、このことによりドラムコアの周面に当接する爪部の部分の外周コアの内周面からの距離を調整することができる。この結果、ドラムコアと外周コアとの間のギャップを所望の値に調整した状態でギャップを確実に確保することができる。
【０００９】
また、該鍔部はそれぞれ略円盤形状をなしていることが好ましい。鍔部はそれぞれ略円盤形状をなしているため、鍔部に角部を設けずに済み、このため、爪部が当該角部に当接せずに済む。この結果、角部に爪部が当接して鍔部の角部の部分が破損するといった不具合が発生することを防止することができる。
【００１２】
また、該導線は該爪部以外の該端子金具の部分に継線されていることが好ましい。導線は爪部以外の端子金具の部分に継線されているため、巻芯部から端子金具へと引き出される導線の部分や端子金具に継線されている導線の部分たる継線部を、爪部が設けられている位置から離間した位置に配置させることができる。
【００１３】
また、該外周コアは該ドラムコアを環装するように設けられたリングコアからなり、該リングコアは該ドラムコアの該巻芯部の軸心方向へ所定の厚さを有する多角形をなし、該多角形の少なくとも一の角部は面取りが施された面取り部を有し、該端子金具の一部は該面取り部上に配置され、該導線は該面取り部上に配置された該端子金具の部分に継線されていることが好ましい。
【００１４】
外周コアはドラムコアを環装するように設けられたリングコアからなり、リングコアはドラムコアの巻芯部の軸心方向へ所定の厚さを有する多角形をなし、多角形の少なくとも一の角部は面取りが施された面取り部を有し、端子金具の一部は面取り部上に配置され、導線は面取り部上に配置された端子金具の部分に継線されているため、端子金具に継線されている導線の部分たる継線部が、リングコアの外形をなす多角形から突出しないコイル部品とすることができる。
【００１５】
また、折り曲げられる前の該爪部は展開形状が方形をなすことが好ましい。折り曲げられる前の爪部は展開形状が方形をなすため、端子金具の製造を容易とすることができる。このため、端子金具の寸法精度を高めることができる。
【００１６】
また、該爪部の該先端寄りの部分は該爪部の該基端寄りの部分に対して鋭角に折り曲げられていることが好ましい。爪部の先端寄りの部分は爪部の基端寄りの部分に対して鋭角に折り曲げられているため、爪部の折り曲げ位置を調整することにより鋭角の角度を調整して、外周コアとドラムコアとを結ぶ方向における外周コアの内面から折り曲げ部までの距離を調整することができる。この結果、ドラムコアと外周コアとの間のギャップをより容易に調整することができる。
【発明の効果】
【００１７】
以上より、本発明は、２つの端子金具を結ぶ方向に垂直の方向においてもドラムコアの移動を規制し、且つ同方向におけるドラムコアと外周コアとの間のギャップを所望の値に確実に確保できるコイル部品を提供することができる。
【発明を実施するための最良の形態】
【００１８】
本発明の実施の形態によるコイル部品について図１乃至図２に基づき説明する。以下の実施の形態では、コイル部品を回路基板に実装したときに、コイル部品に対して回路基板が鉛直下方に位置するとともに回路基板の実装面が水平方向に延在することを前提にして上下方向及び水平方向を規定し、鉛直上方を図中の軸Ｚの矢印で示される方向として以下に説明する。
【００１９】
コイル部品１は、導線２０が巻回されているドラムコア１０と、ドラムコア１０を内装してドラムコア１０と共に磁路を形成するリングコア３０と、リングコア３０の外周面３１上に装着され導線２０が継線されている２つの端子電極４０、４０とからなるインダクタンス素子である。
【００２０】
ドラムコア１０は、図１（ｂ）に示されるように、軸Ｚの方向に延在する円柱形の巻芯部１１と、巻芯部１１の両端にそれぞれ設けられ軸Ｚの方向と垂直方向に延在する上方鍔部１２と下方鍔部１３とからなり、巻芯部１１と上方鍔部１２及び下方鍔部１３とは、フェライトなどの強磁性体にて一体的にボビン形状に形成されている。巻芯部１１には、導線２０がコイル状に巻回されている。導線２０は絶縁被覆銅線からなり、互いに絶縁被覆された２本がペアとされたいわゆるペア線により構成されている。
【００２１】
上方鍔部１２及び下方鍔部１３は、それぞれ、軸Ｚの方向に厚みを有し半径が７．７ｍｍ程度の円形たる円盤形状をなしている。上方鍔部１２は、巻芯部１１に連結されている内面１２ａと、内面１２ａとは反対側の外面１２ｂと、内面１２ａと外面１２ｂとの間に位置して軸Ｚの方向、すなわち厚み方向に延在する周面１２ｃとからなる。同様に、下方鍔部１３は、巻芯部１１に連結されている内面１３ａと、内面１３ａとは反対側の外面１３ｂと、内面１３ａと外面１３ｂとの間に位置して軸Ｚの方向、すなわち厚み方向に延在する周面部１３ｃとからなる。
【００２２】
リングコア３０は、外周面３１と内周面３２とを有し、その軸心方向たる軸Ｚの方向の両端、即ち、図１（ｂ）の上下方向の一端部３３及び他端部３４が開口した環形をなしており、ドラムコア１０と同一の強磁性体材料によって形成されている。内周面３２は外周コアの内面に相当する。また、リングコア３０は、図１（ａ）に示されるように、その外形が軸Ｚの方向へ所定の厚さを有し一辺が略１０ｍｍ程度の正方形をなしており、一の対角線に位置する一対の角はＲ加工が施されたＲ面取り部３５をなし、また、他の対角線に位置する一対の角はＣ面加工が施されたＣ面取り部３６をなす。平面視でＲ面取り部３５とＣ面取り部３６との間の部分は、面取り加工前の正方形の４辺たる第１辺３０ａ、第２辺３０ｂ、第３辺３０ｃ、第４辺３０ｄがそのまま残っている。
【００２３】
リングコア３０には切欠き３０Ａ、３０Ｂが形成されている。切欠き３０Ａ、３０Ｂは平面視で正方形をしたリングコア３０の２つのＣ面取り部３６の略中央位置から当該正方形の第１辺３０ａ、第３辺３０ｃの略中央位置にかけて形成されており、軸Ｚ方向におけるリングコア３０の一端部３３の端面３３ａと外周面３１と内周面３２とにおいて開口している。切欠き３０Ａ、３０Ｂを通して、ドラムコア１０の巻芯部１１に巻回された導線２０を、後述の端子電極４０のＣ面取り部３６上に配置された電極継線部４４へと引き出すことができるように構成されている。なお、図１、図２では、説明の便宜上、切欠き３０Ａ、３０Ｂを通して引き出される導線２０の部分については図示を省略している。
【００２４】
リングコア３０の内周面３２は円柱状をなしている。内周面３２の直径はドラムコア１０の上方鍔部１２及び下方鍔部１３の直径よりも若干大きく形成されており、内周面３２内にドラムコア１０が略同軸に内装されている。また、ドラムコア１０の軸心方向たる軸Ｚ方向における高さは、図１（ｂ）に示されるように、同方向におけるリングコア３０の高さよりも若干高く、ドラムコア１０の大部分はリングコア３０の内周面３２内に収容されるように構成されている。リングコア３０は外周コアに相当する。
【００２５】
端子電極４０は、図３に示されるように、厚さが略０．１ｍｍ程度の略板状をした導電性の金属片が折り曲げられてなる端子金具により構成されている。端子電極４０は、リングコア３０の他端部３４の端面上に配置され水平方向に延在する底片部４１と、底片部４１に隣接し軸Ｚ方向に延在して、リングコア３０の外周面３１の一部であって平面視正方形状の第２辺３０ｂ、第４辺３０ｄに相当する部分上に配置された側片部４２と、リングコア３０の一端部３３の端面３３ａ上に配置される上片部４３と、側片部４２に隣接してＣ面取り部３６上に配置された電極継線部４４とを備える。
【００２６】
底片部４１は、ドラムコア１０の半径方向内方へ延出し、図１（ｂ）に示されるように、ドラムコア１０の下方鍔部１３の半径方向における端縁近傍部分に配置され、その上面が下方鍔部１３に当接している。側片部４２は、軸Ｚ方向におけるリングコア３０の外周面３１の一端部３３から他端部３４へ渡って配置されている。
【００２７】
電極継線部４４は、図２に示されるように、軸Ｚ方向におけるリングコア３０の外周面３１の一端部３３から他端部３４までの略３分の１程度の幅で、軸Ｚ方向におけるリングコア３０の外周面３１の略中央位置において側片部４２からリングコア３０のＣ面取り部３６上へ延出している。電極継線部４４は、図１（ａ）に示されるように、Ｃ面取り部３６の略中央位置においてＪ字状に折り曲げられた折り返し部４４ａを有している。折り返し部４４ａには、導線２０の一端、他端がそれぞれ配置され、溶接又は半田付け等により導線２０と電極継線部４４とは電気的に接続されて継線されている。なお実際には溶接等による溶接玉が折り返し部４４ａに形成されるが、図１、図２では、説明の便上図示を省略している。
【００２８】
上片部４３は、図３（ａ）に示されるように、リングコア３０に配置される前の状態、即ち、後述のように爪部４３ａが折り曲げられる前の状態の展開形状は、平面視略コの字形状をなしている。当該コの字を、互いに離間して配置され長手方向が互いに平行に延出する長方形状をなす一対の爪部４３ａ、４３ａと、当該一対の爪部４３ａ、４３ａの先端に対する基端がそれぞれ長手方向の一端及び他端に接続された長方形状をなす上片部基部４３ｂとからなる構成と考えた場合に、上片部基部４３ｂは、図１に示されるようにリングコア３０の一端部３３の端面３３ａ上に配置されている。
【００２９】
一対の爪部４３ａ、４３ａは、リングコア３０の一端部３３の端面３３ａ上からドラムコア１０の略半径方向内方であって一方の端子電極４０（図１（ａ）の右側の端子電極４０）と他方の端子電極４０（図１（ａ）の左側の端子電極４０）とを結ぶ方向へ延出し、爪部４３ａの基端と先端との略中央位置において、ドラムコア１０の略軸心方向であってドラムコア１０の略下鍔部へと向かう方向へ、図３（ｂ）に示されるように直角に折り曲げられている。当該折り曲げられた部分は、爪部４３ａを基端寄りの部分たる基端側部４３ｇと先端寄りの部分たる先端側部４３ｆとに分ける境界線の部分たる折り曲げ部４３ｃをなす。折り曲げ部４３ｃは、爪部４３ａの幅方向たる図３（ａ）の左右方向の一方の端縁４３ｄと他方の端縁４３ｅとを結ぶ直線状に設けられており、折り曲げ部４３ｃの指向する方向は、図３（ａ）に示されるように先端側部４３ｆが略逆ハの字に広がるように、爪部４３ａの幅方向に対して略２５°程度の角度をなしている。即ち、爪部４３ａ、４３ａの先端側部４３ｆは、ドラムコア１０の略周方向において互いに離間して広がるように折り曲げられている。
【００３０】
一方の金属端子、他方の金属端子のそれぞれにおいて、略コの字形状をなす上片部４３の内側の端縁に相当する一対の爪部４３ａ、４３ａの幅方向の一方の端縁４３ｄにおける折り曲げ部４３ｃの部分は、リングコア３０の内周面３２に接触している。これに対して、略コの字形状をなす上片部４３の外側の端縁に相当する一対の爪部４３ａ、４３ａの幅方向の他方の端縁４３ｅにおける折り曲げ部４３ｃの部分は、リングコア３０の内周面３２から離間している。このため、リングコアの内周面３２に接触している当該一対の爪部４３ａ、４３ａの幅方向の一方の端縁４３ｄにおける折り曲げ部４３ｃの部分から、爪部４３ａ、４３ａの先端に至るまで先端側部４３ｆの当該一方の端縁４３ｄはリングコア３０の内周面３２に接触して、リングコア３０の内周面３２に係止されている。
【００３１】
また、折り曲げ部４３ｃの指向する方向が図３（ａ）に示されるように先端側部４３ｆが略逆ハの字に広がるように爪部４３ａ、４３ａの幅方向に対して略２５°程度の角度をなしていることと相まって、爪部４３ａ、４３ａの先端側部４３ｆは、先端に近づくにつれて、リングコア３０の内周面３２から離間する距離が、徐々に大きくなるように構成されている。
【００３２】
爪部４３ａ、４３ａの先端の部分は、ドラムコア１０の上方鍔部１２の周面に当接可能であり、この当接により２つの端子電極４０を結ぶ方向、即ち図１（ａ）の左右方向へのドラムコア１０の移動を規制し、同方向におけるリングコア３０の内周面３２とドラムコア１０の上方鍔部１２の周面との間に、０．２２１ｍｍ程度のギャップが確実に確保される。また、爪部４３ａ、４３ａの先端側部４３ｆは、ドラムコア１０の略周方向において互いに離間して広がるように折り曲げられており、爪部４３ａ、４３ａの先端側部４３ｆ、４３ｆは、先端に近づくにつれて、リングコア３０の内周面３２から離間する距離が、徐々に大きくなるため、図１（ａ）に示されるように、略逆ハの字に広がる爪部４３ａ、４３ａの先端側部４３ｆ、４３ｆによって２つの端子電極４０、４０を結ぶ方向に垂直の方向、即ち図１（ａ）の上下方向からドラムコア１０の上方鍔部１２が略挟まれるように支持されており、このことにより、同方向におけるドラムコア１０の移動を規制し、同方向におけるリングコア３０の内周面３２とドラムコア１０の上方鍔部１２の周面との間に、０．１３０ｍｍ程度のギャップが確実に確保される。
【００３３】
リングコア３０に２つ設けられ導線２０の一端又は他端が電気的に接続されて継線された略板状の端子電極４０を備え、端子電極４０は、互いに離間した位置に配置された２つの爪部４３ａ、４３ａを有し、爪部４３ａ、４３ａの先端側部４３ｆ、４３ｆは、リングコア３０の内周面３２に略沿うように爪部４３ａ、４３ａの基端寄りの部分に対して折り曲げられてリングコア３０の内周面３２に係止され、爪部４３ａ、４３ａの先端側部４３ｆ、４３ｆはドラムコア１０の鍔部の周面に当接可能であるため、２つの端子電極４０、４０を結ぶ方向と、２つの端子電極４０、４０を結ぶ方向に直交する方向との両方向においてドラムコア１０の移動を規制することができる。また、これら両方向におけるドラムコア１０とリングコア３０との間のギャップを所望の値に確実に確保することができる。
【００３４】
また、爪部４３ａ、４３ａの基端側部４３ｇ、４３ｇに対して爪部４３ａ、４３ａの先端側部４３ｆ、４３ｆが折り曲げられて規定される基端側部４３ｇ、４３ｇと先端側部４３ｆ、４３ｆとの境界線の部分は、爪部４３ａ、４３ａの幅方向の一方の端縁４３ｄ、４３ｄと他方の端縁４３ｅ、４３ｅとを結ぶ折り曲げ部４３ｃ、４３ｃをなし、爪部４３ａ、４３ａの幅方向の一方の端縁４３ｄ、４３ｄにおける折り曲げ部４３ｃ、４３ｃの部分はリングコア３０の内周面３２に接触し、爪部４３ａ、４３ａの幅方向の他方の端縁４３ｅ、４３ｅにおける折り曲げ部４３ｃ、４３ｃの部分はリングコア３０の内周面３２から離間しているため、爪部４３ａ、４３ａの幅方向に対する境界線の方向たる折り曲げ方向を調整することで、爪部４３ａ、４３ａの幅方向の当該他方の端縁４３ｅ、４３ｅにおける折り曲げ部４３ｃ、３２ｃの部分がリングコア３０の内周面３２から離間している離間距離を調整することができ、このことによりドラムコア１０の周面に当接する爪部４３ａ、４３ａの部分のリングコア３０の内周面３２からの距離を調整することができる。この結果、ドラムコア１０とリングコア３０との間のギャップを所望の値に調整した状態でギャップを確実に確保することができる。
【００３５】
また、鍔部はそれぞれ略円盤形状をなしているため、鍔部に角部を設けずに済み、このため、爪部４３ａ、４３ａが当該角部に当接せずに済む。この結果、角部に爪部４３ａ、４３ａが当接して鍔部の角部の部分が破損するといった不具合が発生することを防止することができる。
【００３６】
また、少なくとも２つの爪部４３ａ、４３ａの先端側部４３ｆ、４３ｆが爪部４３ａ、４３ａの先端へ向かってドラムコア１０の略周方向において互いに離間して広がるように爪部４３ａ、４３ａは折り曲げられているため、ドラムコア１０の略周方向において互いに離間した位置で爪部４３ａ、４３ａをドラムコア１０の鍔部の周面に当接させることができ、より確実にギャップを確保できる。
【００３７】
また、導線２０は爪部４３ａ、４３ａ以外の端子電極４０の部分たる電極継線部４４に継線されているため、巻芯部１１から端子電極４０へと引き出される導線２０の部分や端子電極４０に継線されている導線２０の部分たる継線部を、爪部４３ａ、４３ａが設けられている位置から離間した位置に配置させることができる。
【００３８】
また、外周コアはドラムコア１０を環装するように設けられたリングコア３０からなり、リングコア３０はドラムコア１０の巻芯部１１の軸心方向へ所定の厚さを有する正方形をなし、正方形の２つの角はＣ面加工が施されたＣ面取り部３６を有し、端子電極４０の一部はＣ面取り部３６上に配置され、導線２０はＣ面取り部３６上に配置された端子電極４０の部分に継線されているため、端子電極４０に継線されている導線２０の部分たる継線部が、リングコア３０の外形をなす正方形から突出しないコイル部品１とすることができる。
【００３９】
また、折り曲げられる前の爪部４３ａ、４３ａは展開形状が方形をなすため、端子電極４０の製造を容易とすることができる。このため、端子電極４０の寸法精度を高めることができる。
【００４０】
また、爪部４３ａ、４３ａの先端側部４３ｆ、４３ｆは爪部４３ａ、４３ａの基端側部４３ｇ、４３ｇに対して鋭角に折り曲げられているため、爪部４３ａ、４３ａの折り曲げ位置を調整することにより鋭角の角度を調整して、リングコア３０とドラムコア１０とを結ぶ方向におけるリングコア３０の内周面３２から折り曲げ部４３ｃまでの距離を調整することができる。この結果、ドラムコア１０とリングコア３０との間のギャップをより容易に調整することができる。
【００４１】
本発明によるコイル部品は、上述した実施の形態に限定されず、特許請求の範囲に記載した範囲で種々の変形や改良が可能である。例えば、外周コアはリングコア３０から構成されたがリングコア３０に限定されない。例えば、リングコア３０が複数に分割されて構成され、このように分割されたリングコア３０の部分が組合させるようにして外周コアが構成されてもよい。
【００４２】
また、一対の爪部４３ａ、４３ａは、その基端と先端との略中央位置において、ドラムコア１０の略軸心方向であってドラムコア１０の略下鍔部へと向かう方向へ直角に折り曲げられていたが、直角に限定されない。例えば、鋭角に折り曲げてもよく、この場合には、折り曲げる角度を調整することにより、リングコア３０の内周面３２から離間している一対の爪部４３ａ、４３ａの幅方向の他方の端縁４３ｅにおける折り曲げ部４３ｃの部分から、リングコア３０の内周面３２までの距離を調整することができ、この結果、リングコア３０の内周面３２からドラムコア１０の上方鍔部１２の周面までのギャップを調整することができる。
【００４３】
また、ドラムコア１０は略円盤形状をなしていたが、これに限定されず、例えば、ドラムコア１０の軸心方向へ所定の厚さを有する多角形形状をなしていてもよい。また、端子電極４０、爪部４３ａの数は本実施の数に限定されず、それぞれ２つ以上であればよい。また、リングコア３０は、その外形が軸Ｚの方向へ所定の厚さを有する正方形をなしていたが、正方形に限定されない。
【産業上の利用可能性】
【００４４】
本発明のコイル部品は、ドラムコアと外周コアとを備え、ドラムコアと外周コアとの間にギャップが形成されるコイル部品の分野において極めて有用である。
【図面の簡単な説明】
【００４５】
【図１】本実施の形態によるコイル部品を示す図であり、（ａ）は平面図、（ｂ）は断面図。
【図２】本実施の形態によるコイル部品を示す側面図。
【図３】本実施の形態によるコイル部品の端子金具を示す図であり、（ａ）は平面図、（ｂ）は（ａ）の右側から左側へ向かって見た図、（ｃ）は（ａ）の下側から上側へと向かって見た図。
【符号の説明】
【００４６】
１              コイル部品
１０            ドラムコア
１１            巻芯部
１２            上方鍔部
１３            下方鍔部
２０            導線
３０            リングコア
３２            内周面
３６            Ｃ面取り部
４０            端子電極
４４            電極継線部
４３ａ          爪部
４３ｃ          折り曲げ部
４３ｄ          一方の端縁
４３ｅ          他方の端縁
【図１】
0004793663.tif 000002
【図２】
0004793663.tif 000003
【図３】
0004793663.tif 000004